(57)【要約】  【課題】  色温度の調整が可能であり、色温度の調整時の混色の均一性に優れた発光装置を提供すること。  【解決手段】  発光装置は、底面に互いに対向する方向に傾斜した複数の傾斜面１１ａ，１１ｂが形成された凹部１０ａを有する基体１０と、傾斜面１１ａ，１１ｂのそれぞれに設置された発光素子１３ａ，１３ｂと、発光素子１３ａ，１３ｂのそれぞれを覆うように設けられた、各発光素子１３ａ，１３ｂから発光された光を互いに異なる波長の光２０ａ，２０ｂにそれぞれ変換する波長変換部材１４ａ，１４ｂとを有する。【選択図】  図１
2009224656.tif 000002
【特許請求の範囲】
【請求項１】
底面に互いに対向する方向に傾斜した複数の傾斜面が形成された凹部を有する基体と、前記傾斜面のそれぞれに設置された発光素子と、前記発光素子のそれぞれを覆うように設けられた、前記各発光素子から発光された光を互いに異なる波長の光にそれぞれ変換する波長変換部材とを具備している発光装置。
【請求項２】
前記波長変換部材は蛍光体を含む透明部材から成る請求項１記載の発光装置。
【請求項３】
前記基体の前記凹部の内面に光反射層が形成されている請求項１または２記載の発光装置。
【請求項４】
前記傾斜面の傾斜角度が０°より大きく３０°未満である請求項１乃至３のいずれか記載の発光装置。
【発明の詳細な説明】
【技術分野】
【０００１】
本発明は、発光ダイオード（ＬＥＤ）を用いた発光装置に関するものであり、特に色温度が調整可能な発光装置に関する。
【背景技術】
【０００２】
化学式ＡｌxＧａyＩｎ1-x-yＮ（０≦ｘ≦1，０≦ｙ≦１，ｘ＋ｙ≦１）で表される窒化ガリウム系化合物半導体を用いて、紫外光、青色光、緑色光等を発光する発光素子である発光ダイオード（ＬＥＤ）、半導体レーザ（ＬＤ）等の開発が盛んに行われている。窒化ガリウム系化合物半導体は、ＡｌＮ，ＩｎＮ，ＧａＮ等の組み合わせにより、ＡｌＧａＮ，ＩｎＧａＮ，ＩｎＧａＡｌＮ等の混晶を形成できる。このような混晶は、その構成元素及び組成を選択することによりバンドギャップを変化させることができることから、可視光領域から紫外光領域までの発光が可能となる。また、上記の発光ダイオードと蛍光体を組み合わせることにより、白色光を発光する発光装置への応用が行われている。
【０００３】
白色光を得るために、現在の多くの発光装置が青色光を発光する青色ＬＥＤと、黄色光を発光する黄色蛍光体との組合せによるものである。また、一部の発光装置は、紫外光を発光する紫外ＬＥＤと、赤色蛍光体、緑色蛍光体及び青色蛍光体との組合せによるものであ（例えば、特許文献１参照）。
【０００４】
また、白色光の発光装置の中には、発光する色によりやや赤みがかった白色光（いわゆる電球色光）を発光するもの、太陽光に近い白色光を発光するもの等の多くの種類がある。一般に、このような発光色を定義するものとして色温度がある。色温度（単位：Ｋ（ケルビン））は理想的な黒体のある温度における放射光の波長分布によって規定されるものであり、温度が低い時は黒体の色は暗いオレンジ色であり、温度が高くなるにつれて黒体の色は黄色みを帯びた白色になり、さらに高くなると黒体の色は青みがかった白色に近くなる。
【０００５】
従来のＬＥＤを用いた発光装置においては、蛍光体の種類、量を調整することにより色温度を選択している。しかし、１つの発光装置において異なる色温度の光を発光させること、また色温度を調整可能とすることはできなかった。
【０００６】
そこで、色温度を調整するために、異なる色温度の光を発光する発光装置をそれぞれ器具内に配置してランプユニットにし、それぞれの発光装置を別々に制御することによって、混色による色温度を調整していた。
【０００７】
また、発光装置において色温度を調整可能とするために、複数のＬＥＤチップとそれに対応する複数の蛍光体による色変換領域を有する構成の発光装置が、特許文献２に記載されている。
【特許文献１】特開平１０−２４２５１３号公報
【特許文献２】特開２００７−８０８８０号公報
【発明の開示】
【発明が解決しようとする課題】
【０００８】
しかしながら、色温度を調整するために異なる色温度の光を発光する発光装置を器具内に配置したランプユニットにおいては、所定の色温度の光を発光する１個の発光素子が１つのパッケージに収納された発光装置を交互に配列する構成であるが、発光装置同士の間が離れているために、互いに異なる色温度の光を発光する発光装置を同時に発光させて色温度を調整する際に、混色性が高くないために各色光が均一に混ざりにくく、色むらが生じるという問題点がある。
【０００９】
また、特許文献２に記載された構成の発光装置においては、調色は可能となるが、発光素子と色変換領域が遮光壁によって区切られているため、それぞれの色温度の光を個別に発光させる場合は問題ないが、同時に発光させて色温度を調整する際には各色光が均一に混ざりにくく、やはり色むらが生じる可能性がある。
【００１０】
従って、本発明は、上記従来の問題点に鑑みて完成されたものであり、その目的は、色温度の調整が可能であり、色温度の調整時の混色の均一性に優れた発光装置を提供することである。
【課題を解決するための手段】
【００１１】
本発明の発光装置は、底面に互いに対向する方向に傾斜した複数の傾斜面が形成された凹部を有する基体と、前記傾斜面のそれぞれに設置された発光素子と、前記発光素子のそれぞれを覆うように設けられた、前記各発光素子から発光された光を互いに異なる波長の光にそれぞれ変換する波長変換部材とを具備しているものである。
【００１２】
また、本発明の発光装置は好ましくは、前記波長変換部材は蛍光体を含む透明部材から成る。
【００１３】
また、本発明の発光装置は好ましくは、前記基体の前記凹部の内面に光反射層が形成されている。
【００１４】
また、本発明の発光装置は好ましくは、前記傾斜面の傾斜角度が０°より大きく３０°未満である。
【発明の効果】
【００１５】
本発明の発光装置は、底面に互いに対向する方向に傾斜した複数の傾斜面が形成された凹部を有する基体と、傾斜面のそれぞれに設置された発光素子と、発光素子のそれぞれを覆うように設けられた、各発光素子から発光された光を互いに異なる波長の光にそれぞれ変換する波長変換部材とを有することから以下の作用効果を奏する。
【００１６】
発光素子のパッケージとしての基体の底面に互いに対向する方向に傾斜した複数の傾斜面が形成され、それらの傾斜面のそれぞれに発光素子が設置されていることから、発光装置の発光中心が基体の凹部の底面の中心付近となる。その結果、発光素子から発光した色温度が異なる光が基体の凹部の底面の中心付近で最大強度で均一に混ざることとなる。従って、それぞれの発光素子の出力を制御して色温度を調整する際に、それらの光が発光装置の中心付近で均一に混ざり合い、発光装置として均一な色温度の光を出射することが可能となる。
【００１７】
また、基体の底面に傾斜面が形成されていることによって、発光素子から発光された光に対して基体の内面に回折角が異なる面が存在することとなり、傾斜面が形成されていない基体においては取り出すことができなかった光を容易に外部に取り出すことが可能となる。その結果、発光装置の光取り出し効率及び出力を向上させることができる。
【００１８】
また、それぞれの発光素子を覆うように波長変換部材が設けられていることから、発光素子間に遮光壁を設けることなく、いずれかの発光素子を駆動することによって単一の色温度の光を出力することが可能となる。
【００１９】
また、各発光素子から発光された光を互いに異なる波長の光にそれぞれ変換する波長変換部材を有することから、発光する発光素子の出力をそれぞれ制御することにより、任意の色温度の光を発光することが可能となる。
【００２０】
また、本発明の発光装置は好ましくは、波長変換部材は蛍光体を含む透明部材から成ることから、発光素子から発光した光を波長変換部材において損失を発生させずに波長変換することができる。また、波長変換部材に含まれる蛍光体の種類または量を制御することにより、所望の色温度の白色光等を得ることができる。
【００２１】
また、本発明の発光装置は好ましくは、基体の凹部の内面に光反射層が形成されていることから、発光素子から発光した光を効率よく波長変換部材に到達させることができる。また、波長変換部材により波長変換された光も効率よく基体から外部に放射することが可能となり、発光効率の高い発光装置とすることができる。
【００２２】
また、本発明の発光装置は好ましくは、傾斜面の傾斜角度が０°より大きく３０°未満であることから、各波長変換部材により互いに異なる波長に変換された各発光素子からの光を、より均一に混合することが可能となる。また、それぞれの発光素子の出力を制御して色温度を調整する際に、複数の色温度の光がより中心付近で均一に混ざり合い、より均一な色温度の光を出力することが可能となる。
【００２３】
また、傾斜面の傾斜角度が０°より大きく３０°未満である場合、発光装置からの距離が数１０ｃｍ程度で照射面積が３６００ｃｍ2（６０ｃｍ四方）程度の、照明装置における実効的な照射領域を、最大強度でかつほぼ均一に照射することができる。
【発明を実施するための最良の形態】
【００２４】
以下、本実施の形態の発光装置について、図面を参照しつつ詳細に説明する。
【００２５】
図１は本実施の形態の発光装置の一例を示す断面図である。図１において、１０は発光素子のパッケージとしての基体、１０ａは基体１０の上面に形成された凹部、１１ａ，１１ｂは基体１０の凹部の底面に形成された傾斜面、１２ａ，１２ｂはサブマウント基板、１３ａ，１３ｂは発光素子、１４ａ，１４ｂは発光素子１３ａ，１３ｂより出力した光をそれぞれ異なる波長に変換する蛍光体を含有する波長変換部材、２０ａ，２０ｂは波長変換部材１４ａ，１４ｂからそれぞれ出力された互いに波長の異なる光である。
【００２６】
本実施の形態の発光装置は、底面に互いに対向する方向に傾斜した複数の傾斜面１１ａ，１１ｂが形成された凹部１０ａを有する基体１０と、傾斜面１１ａ，１１ｂのそれぞれに設置された発光素子１３ａ，１３ｂと、発光素子１３ａ，１３ｂのそれぞれを覆うように設けられた、各発光素子１３ａ，１３ｂから発光された光を互いに異なる波長の光２０ａ，２０ｂにそれぞれ変換する波長変換部材１４ａ，１４ｂとを有する。
【００２７】
上記の構成により、発光素子１３ａ，１３ｂのパッケージとしての基体１０の底面に互いに対向する方向に傾斜した複数の傾斜面１１ａ，１１ｂが形成され、それらの傾斜面１１ａ，１１ｂのそれぞれに発光素子１３ａ，１３ｂが設置されていることから、発光装置の発光中心が基体１０の凹部１０ａの底面の中心付近となる。その結果、発光素子１３ａ，１３ｂから発光した色温度が異なる光２０ａ，２０ｂが基体１０の凹部１０ａの底面の中心付近で最大強度で均一に混ざることとなる。従って、それぞれの発光素子１３ａ，１３ｂの出力を制御して色温度を調整する際に、それらの光２０ａ，２０ｂが発光装置の中心付近で均一に混ざり合い、発光装置として均一な色温度の光を出射することが可能となる。
【００２８】
また、基体１０の底面に傾斜面１１ａ，１１ｂが形成されていることによって、発光素子１３ａ，１３ｂから発光された光に対して基体１０の内面に回折角が異なる面が存在することとなり、傾斜面１１ａ，１１ｂが形成されていない基体１０においては取り出すことができなかった光を容易に外部に取り出すことが可能となる。その結果、発光装置の光取り出し効率及び出力を向上させることができる。
【００２９】
また、それぞれの発光素子１３ａ，１３ｂを覆うように波長変換部材１４ａ，１４ｂが設けられていることから、発光素子１３ａ，１３ｂ間に遮光壁を設けることなく、いずれかの発光素子１３ａ，１３ｂを駆動することによって単一の色温度の光を出力することが可能となる。
【００３０】
また、各発光素子１３ａ，１３ｂから発光された光を互いに異なる波長の光２０ａ，２０ｂにそれぞれ変換する波長変換部材１４ａ，１４ｂを有することから、発光素子１３ａ，１３ｂの出力をそれぞれ制御することにより、任意の色温度の光を発光することが可能となる。
【００３１】
本実施の形態の発光装置は、発光素子１３ａ，１３ｂは基体１０の凹部１０ａの底面に形成された斜面面１１ａ，１１ｂに、サブマウント基板１２ａ，１２ｂを介して設置されている。サブマウント基板１２ａ，１２ｂは、Ａｌ2Ｏ3（アルミナ），ＡｌＮ（窒化アルミニウム）等のセラミックスから成り、発光素子１３ａ，１３ｂに駆動電力を入力するための配線パターン等が形成されている。
【００３２】
基体１０は、Ａｌ2Ｏ3（アルミナ），ＡｌＮ（窒化アルミニウム）等のセラミックス、樹脂、金属等からなる。基体１０の凹部１０ａの底面には、互いに対向する方向に傾斜した複数の傾斜面１１ａ，１１ｂが形成されている。
【００３３】
互いに対向する方向に傾斜した複数の傾斜面１１ａ，１１ｂとは、換言すれば、縦断面において複数の傾斜面１１ａ，１１ｂのそれぞれの法線が交差するように傾斜していることを意味する。あるいは、縦断面において複数の傾斜面１１ａ，１１ｂの面方向の成す角度が１８０°未満であることを意味する。
【００３４】
また、複数の傾斜面は、凹部１０ａの底面及び内面に３つ以上形成してもよい。
【００３５】
基体１０は、直方体、円柱、多角柱等の形状とすることができ、凹部１０ａは、四角筒形状、円筒形状、多角筒形状等の形状とすることができる。図１は、直方体の基体１０に四角筒形状の凹部１０ａを形成した場合を示す。
【００３６】
また、基体１０の凹部１０ａの内面に光反射層が形成されていることが好ましい。光反射層はＡｌ（アルミニウム），Ａｇ（銀），Ｒｈ（ロジウム）等の光反射性を有する金属層から成る。この場合、発光素子１３ａ，１３ｂから発光した光を効率よく波長変換部材１４ａ，１４ｂに到達させることができる。また、波長変換部材１４ａ，１４ｂにより波長変換された光２０ａ，２０ｂも効率よく基体１０から外部に放射することが可能となり、発光効率の高い発光装置とすることができる。
【００３７】
また、傾斜面の傾斜角度が０°より大きく３０°未満であることが好ましい。この場合、各波長変換部材１４ａ，１４ｂにより互いに異なる波長に変換された各発光素子１３ａ，１３ｂからの光２０ａ，２０ｂを、より均一に混合することが可能となる。また、それぞれの発光素子１３ａ，１３ｂの出力を制御して色温度を調整する際に、複数の色温度の光２０ａ，２０ｂがより中心付近で均一に混ざり合い、より均一な色温度の光を出力することが可能となる。
【００３８】
また、傾斜面１１ａ，１１ｂの傾斜角度が０°より大きく３０°未満である場合、発光装置からの距離が数１０ｃｍ程度で照射面積が３６００ｃｍ2（６０ｃｍ四方）程度の、照明装置における実効的な照射領域を、最大強度でかつほぼ均一に照射することができる。
【００３９】
発光素子１３ａ，１３ｂは、サファイアなどの基板上に化学式ＡｌxＧａyＩｎ1-x-yＮ（０≦ｘ≦1、０≦ｙ≦１、ｘ＋ｙ≦１）で表される窒化ガリウム系化合物半導体を用いた発光ダイオード（ＬＥＤ）から成る。窒化ガリウム系化合物半導体は、ＡｌＮ，ＩｎＮ，ＧａＮ等の組み合わせにより、ＡｌＧａＮ，ＩｎＧａＮ，ＩｎＧａＡｌＮ等の混晶を形成でき、バンドギャップを変化させることができることから、可視光領域から紫外光領域までの発光が可能である。
【００４０】
このような発光素子１３ａ，１３ｂは、サファイア，ＧａＮ等から成る基板上に、化学式ＡｌxＧａyＩｎ1-x-yＮ（０≦ｘ≦1、０≦ｙ≦１、ｘ＋ｙ≦１）で表される各種窒化ガリウム系化合物半導体層を有機金属気相成長（ＭＯＶＰＥ）法等により形成して作製される。例えば、基板上に、ｎ型窒化ガリウム系化合物半導体層、窒化ガリウム系化合物半導体から成る発光層とての活性層、ｐ型窒化ガリウム系化合物半導体層を成長させ、さらにｎ型窒化ガリウム系化合物半導体層の上面の露出部にｎ型電極を形成し、ｐ型窒化ガリウム系化合物半導体層の上面にｐ型電極を形成して作製される。基板としてＧａＮ基板などの導電性基板を用いた場合、窒化ガリウム系化合物半導体層を形成する面と反対側の面をｎ型電極として用いることも可能である。
【００４１】
発光素子１３ａ，１３ｂから発光する光の波長は３６５ｎｍ〜４０５ｎｍ程度の紫外光、近紫外光であることが、色の見えやすさを表す指標である演色性を高くできる点で好ましい。青色発光素子と黄色蛍光体とを用いた従来の発光装置においては、色温度を低くするために赤色蛍光体をさらに用いる必要があるが、赤色蛍光体を用いると変換効率が低下する。それに対して、本実施の形態のように紫外光、近紫外光により色温度を制御する場合、色温度を低くしても変換効率の低下がない。
【００４２】
また、波長変換部材１４ａ，１４ｂは蛍光体を含む透明部材からなることが好ましい。発光素子１３ａ，１３ｂから発光した光を波長変換部材１４ａ，１４ｂにおいて損失を発生させずに波長変換することができる。また、波長変換部材１４ａ，１４ｂに含まれる蛍光体の種類または量を制御することにより、所望の色温度の白色光等を得ることができる。波長変換部材１４ａ，１４ｂは、発光素子１３ａ，１３ｂのそれぞれの直上に発光素子１３ａ，１３ｂを覆うように配置される。透明部材はシリコーン系樹脂等から成り、その中に赤色蛍光体、緑色蛍光体、青色蛍光体を含んでいる。これらの蛍光体の種類、量、配合等を調整することにより、色温度が低い３０００Ｋ程度の電球色光、７０００Ｋ程度の白色光を得ることができる。
【００４３】
本実施の形態の一例では、発光素子１３ａ，１３ｂからの波長３６５ｎｍ〜４０５ｎｍ程度の紫外光、近紫外光を受け、波長変換部材１４ａは３０００Ｋ程度の電球色光を発生し、波長変換部材１４ｂは７０００Ｋ程度の白色光を発生するように、それぞれ蛍光体を混合している。
【００４４】
波長変換部材１４ａ，１４ｂに含まれる蛍光体としては、赤色蛍光体としてはＬａ2Ｏ2Ｓ：Ｅｕ（ＥｕドープＬａ2Ｏ2Ｓ），緑色蛍光体としてはＺｎＳ:Ｃｕ，Ａｌ（Ｃｕ，ＡｌドープＺｎＳ），青色蛍光体としてはＢａＭｇＡｌ10Ｏ17:Ｅｕ（ＥｕドープＢａＭｇＡｌ10Ｏ17）等がある。これらの蛍光体の配合比を変えることにより色温度を変えることが可能となる。
【００４５】
従って、発光素子１４ａのみを駆動することによって３０００Ｋの電球色光を発光させることができ、また、発光素子１４ｂのみを駆動することによって７０００Ｋの白色光を発光することができる。さらに、発光素子１４ａ，１４ｂの駆動電力を個々に制御することによって、３０００Ｋ〜７０００Ｋの間の任意の色温度の光を均一に発光することが可能となる。
【００４６】
波長変換部材１４ａ，１４ｂは、発光素子１３ａ，１３ｂの光出射面に接するか、あるいは密着していることが好ましい。この場合、波長変換部材１４ａ，１４ｂと発光素子１３ａ，１３ｂとの間に空間（屈折率１の空気）が存在しないため、空間との界面における光の反射を抑えることができる。
【００４７】
また、波長変換部材１４ａ，１４ｂは、発光素子１３ａ，１３ｂの光出射面を覆うとともに光出射面よりも若干大きい領域（光出射面よりも１０〜５０％程度大きな面積の領域）に、蛍光体を含んでいることが良い。この場合、発光素子１３ａ，１３ｂから発光した光を効率よく波長変換することができる。
【実施例】
【００４８】
本実施の形態の発光装置の実施例について以下に説明する。
【００４９】
図１の構成の発光素子を以下のように作製した。サファイア基板上に化学式ＡｌxＧａyＩｎ1-x-yＮ（０≦ｘ≦1、０≦ｙ≦１、ｘ＋ｙ≦１）で表される各種窒化ガリウム系化合物半導体層が積層されている、発光波長が４０５ｎｍである発光素子１３ａ，１３ｂを作製した。
【００５０】
発光素子１３ａ，１３ｂはそれぞれ、サファイア基板上に、厚み２μｍのｎ型窒化ガリウム系化合物半導体層（ＧａＮ層）、厚み３ｎｍのＩｎＧａＮ層からなる量子井戸層、１０ｎｍＧａＮ層からなるバリア層より構成される発光層、厚み２００ｎｍのｐ型窒化ガリウム系化合物半導体層（ＡｌＧａＮ層またはＧａＮ層を含む）を形成したものである。
【００５１】
次に、発光素子１３ａ，１３ｂに駆動電力を入力するための配線パターンが形成されている、窒化アルミニウム（ＡｌＮ）セラミックスから成るサブマウント基板１２ａ，１２ｂ上にそれぞれ発光素子１３ａ，１３ｂを実装した。
【００５２】
次に、サブマウント基板１１ａ上に実装された発光素子１３ａとサブマウント基板１１ｂ上に実装された発光素子１３ｂを、アルミナ（Ａｌ2Ｏ3）セラミックスからなる縦５ｍｍ、横５ｍｍ、高さ３ｍｍの大きさの基体１０の凹部１０ａ内に実装した。
【００５３】
基体１０の凹部１０ａの底面には、互いに対向する方向に傾斜した四角形の傾斜面１１ａ，１１ｂが形成されている。傾斜面１１ａの中央部にサブマウント基板１２ａ上に実装された発光素子１３ａを接着剤により設置し、傾斜面１１ｂの中央部にサブマウント基板１２ｂ上に実装された発光素子１３ｂを接着剤により設置した。
【００５４】
次に、蛍光体が分散しているシリコーン系樹脂から成る板状の波長変換部材１４ａ，１４ｂをそれぞれ、傾斜面１１ａ，１１ｂに平行にして、発光素子１３ａ，１３ｂを覆うように配置した。波長変換部材１４ａは、発光素子１３ａからの波長４０５ｎｍの光を受けて色温度３０００Ｋの光に変換する蛍光体を含み、波長変換部材１４ｂは、発光素子１３ｂからの波長４０５ｎｍの光を受けて色温度７０００Ｋの光に変換する蛍光体を含む。
【００５５】
波長変換部材１４ａに含まれる蛍光体は、赤色蛍光体であるＬａ2Ｏ2Ｓ：Ｅｕと緑色蛍光体であるＺｎＳ：Ｃｕ，Ａｌと青色蛍光体であるＢａＭｇＡｌ10Ｏ17：Ｅｕとから成るものとし、波長変換部材１４ｂに含まれる蛍光体も同様で配合比が異なるものとした。即ち、波長変換部材１４ｂに含まれる蛍光体は、波長変換部材１４ａに含まれる蛍光体よりも赤色蛍光体（Ｌａ2Ｏ2Ｓ：Ｅｕ）が少なく、緑色蛍光体（ＺｎＳ：Ｃｕ，Ａｌ）と青色蛍光体（ＢａＭｇＡｌ10Ｏ17：Ｅｕ）が多いものとした。
【００５６】
次に、波長変換部材１４ａ，１４ｂを凹部１０ａ内において固定するために、シリコーン系樹脂を凹部１０ａ内に充填し、発光装置を作製した。
【００５７】
以上の構成の発光装置において、傾斜面１１ａ，１１ｂの傾斜角度が１５°，３０°とされた２種の発光装置を作製し、発光装置から約３０ｃｍ離れた場所で６０ｃｍ四方の評価面における混色性を評価した。混色性の評価は、色温度３０００Ｋの光の強度と７０００Ｋの光の強度との差を測定することによって行った。
【００５８】
図２,図３,図４に評価結果を表すグラフを示す。図２のグラフは比較例を示すものであり、２つの発光素子を基体の凹部の平坦な底面に配置し、２つの発光素子の間に遮光板を設けた構成の発光装置についてのグラフである。
【００５９】
図２の比較例の発光装置は、色温度３０００Ｋの光の強度と７０００Ｋの光の強度との差が大きい部分が見られ、色むらが生じていることが判った。
【００６０】
図４の傾斜面１１ａ，１１ｂの傾斜角度が３０°である発光装置は、色温度３０００Ｋの光の強度と７０００Ｋの光の強度との差が大きい部分が見られ、色むらが生じていることが判った。しかしながら、傾斜角度が３０°より大きくなると、各色の光の出射方向が逆転するが、従来のランプユニットを交互に並べた図２の構成のものよりは色むらは改善されたものとなった。
【００６１】
図３の傾斜面１１ａ，１１ｂの傾斜角度が１５°である発光装置は、色温度３０００Ｋの光の強度と７０００Ｋの光の強度との差が僅かに見られるものの、その差は比較例に比較して全体的に小さく、２つの光の色が均一に混ざっており、色ムラが殆ど生じていないことが判った。
【図面の簡単な説明】
【００６２】
【図１】本実施の形態の発光装置の一例を示す断面図である。
【図２】比較例の発光装置における色温度３０００Ｋの光の強度と７０００Ｋの光の強度との差を表すグラフである。
【図３】本実施例（第１の実施例）の発光装置における色温度３０００Ｋの光の強度と７０００Ｋの光の強度との差を表すグラフである。
【図４】本実施例（第２の実施例）の発光装置における色温度３０００Ｋの光の強度と７０００Ｋの光の強度との差を表すグラフである。
【符号の説明】
【００６３】
１０：基体
１０ａ：凹部
１１ａ，１１ｂ：傾斜面
１２ａ，１２ｂ：サブマウント基板
１３ａ，１３ｂ：発光素子
１４ａ，１４ａ：波長変換部材
【図１】
2009224656.tif 000003
【図２】
2009224656.tif 000004
【図３】
2009224656.tif 000005
【図４】
2009224656.tif 000006